(57)【特許請求の範囲】
【請求項１】
送信対象の画像データを一覧表示し、
表示した画像データの送信順序の編集を受け付け、
編集後の送信順序に従って前記送信対象の画像データを表示すると共に当該送信順序を記憶し、
前記送信順序に基づいて、前記送信対象の画像データを１つのデータに結合して送信する情報処理装置であって、
データの送信条件を記憶し、さらに、前記データが当該送信条件に合致するか否かの判定を行う順番に関わる優先度と、データに施す所定の処理方法と、を前記送信条件と対応して記憶する送信画像条件記憶部を備え、
前記優先度に基づく順番で、前記結合したデータが前記送信条件に合致するか否かを判定し、
前記送信条件に合致しない場合に、前記結合したデータを当該送信条件と対応して記憶している前記所定の処理方法で処理し送信することを特徴とする情報処理装置。
【請求項２】
前記送信条件は、文字のみから成る画像であるか否かに関する条件並びに画像データの用紙サイズ、ファイルサイズ、カラーモード、圧縮形式及びファイル形式に関する条件のいずれか、または、文字のみから成る画像であるか否かに関する条件並びに画像データの用紙サイズ、ファイルサイズ、カラーモード、圧縮形式及びファイル形式に関する条件の組み合わせを含むことを特徴とする請求項１に記載の情報処理装置。
【請求項３】
前記所定の処理方法は、画像データの用紙サイズ、ファイルサイズ、カラーモード、圧縮形式及びファイル形式のいずれか、または、画像データの用紙サイズ、ファイルサイズ、カラーモード、圧縮形式及びファイル形式の組み合わせに関するものであることを特徴とする請求項１または２に記載の情報処理装置。
【請求項４】
前記画像データの送信順序の編集は、送信対象の画像データの削除を含むことを特徴とする請求項１〜３のいずれか１項に記載の情報処理装置。
【請求項５】
前記一覧表示をサムネイル画像を用いて行うことを特徴とする請求項１〜４のいずれか１項に記載の情報処理装置。
【請求項６】
送信対象の画像データを一覧表示し、
表示した画像データの送信順序の編集を受け付け、
編集後の送信順序に従って前記送信対象の画像データを表示すると共に当該送信順序を記憶し、
前記送信順序に基づいて、前記送信対象の画像データを１つのデータに結合し、
予め定められたデータの送信条件により、前記結合したデータが当該送信条件に合致するか否かの判定を予め定められた優先度に基づく順番で行い、
前記条件に合致しない場合に、前記結合したデータを当該条件に対応して予め定められた所定の処理方法で処理し送信することを特徴とする情報処理方法。
【請求項７】
コンピュータに、請求項１〜５のいずれか１項に記載の情報処理装置の機能を実現させるプログラム。
【請求項８】
請求項６に記載の情報処理方法をコンピュータに実行させるためのプログラム。
【請求項９】
コンピュータが読み取り可能な記録媒体であって、請求項７または８に記載のプログラムを記録したことを特徴とする記録媒体。
【発明の詳細な説明】
【技術分野】
【０００１】
本発明は、画像送信装置によって画像を送信するに当り、送信する画像データを処理する情報処理装置、情報処理方法、プログラム及び記録媒体に関する。
【背景技術】
【０００２】
現在、ファクシミリ等の画像送信装置に対して、ネットワークで接続されているパーソナルコンピュータ（ＰＣ：Personal Computer）等の情報処理装置から、画像と送信先を指定する方法が一般的に広まっているが、これらの多くは、１度の送信に１つの文書しか指定できない。そのため、１つの相手先に複数の文書を送信したい場合に、複数回に分けて送信する必要があるので、ユーザに多くの操作が強いられることがあり、また、通常、送信要求ごとに通信回線を一旦切断しているため、通信料が高くなることがあった。
【０００３】
特許文献１には、複数のＦＡＸ送信要求に対するデータを結合して１度に送信することによって、効率良くＦＡＸ送信する方法が開示されている。この方法では、同一の送信相手ならば、複数のＦＡＸ送信要求に対するデータを結合し、１回で送信することにより、効率良く送信すると共に、送信料を削減することができるようにしている。
【特許文献１】特開２００３−３７６９３号公報
【発明の開示】
【発明が解決しようとする課題】
【０００４】
特許文献１に開示の方法では、ＦＡＸ送信要求を受け付ける毎に、そのＦＡＸ番号に基づいて、複数のＦＡＸ送信ポートから同一ＦＡＸ番号のジョブが存在するポートを選択し、選択したポートに今回のＦＡＸ送信要求を割り当てる。そして、ユーザによる結合指定があれば、今回のＦＡＸ送信要求ジョブは、同一のＦＡＸ番号を持つジョブ（結合関係にあるジョブ）の最後に追加する。その後、時刻がＦＡＸ送信タイミングとなったときに、結合関係にある複数ジョブのデータを、選択ポートに割り当てられたデータバッファに連続して書き込むことで、ＦＡＸ送信対象のデータを結合している。
【０００５】
しかし、この方法では、今回のＦＡＸ送信要求ジョブを、同一のＦＡＸ番号を持つジョブの最後に追加しており、送信要求が行われた通りでの順序でしかデータをＦＡＸ送信することができない。つまり、ユーザが、結合した形態でＦＡＸ送信することを希望してデータを送信対象として選択しても、一旦送信対象として選択した後は、その送信順序の変更をすることができない。
また、送信対象のデータについての情報（その概要やその送信順序等）をユーザが確認できることが好ましいが、この点について、特許文献１には、開示も示唆もされていない。
【０００６】
本発明は、上述のような実情を考慮してなされたものであり、宛て先が同一である複数のデータを結合して上記宛て先にファックス送信する際に、ＦＡＸ送信対象のデータについての情報を確認し、さらに、ＦＡＸ送信対象として複数のデータを選択した後も、複数の結合したデータの送信順序を変更することができるようにすることを目的とする。
【課題を解決するための手段】
【０００７】
上記課題を解決するために、本発明の第１の技術手段は、送信対象の画像データを一覧表示し、表示した画像データの送信順序の編集を受け付け、編集後の送信順序に従って前記送信対象の画像データを表示すると共に当該送信順序を記憶し、前記送信順序に基づいて、前記送信対象の画像データを１つのデータに結合して送信する情報処理装置であって、データの送信条件を記憶し、さらに、前記データが当該送信条件に合致するか否かの判定を行う順番に関わる優先度と、データに施す所定の処理方法と、を前記送信条件と対応して記憶する送信画像条件記憶部を備え、  前記優先度に基づく順番で、前記結合したデータが前記送信条件に合致するか否かを判定し、前記送信条件に合致しない場合に、前記結合したデータを当該送信条件と対応して記憶している前記所定の処理方法で処理し送信することを特徴としたものである。
【０００９】
第２の技術手段は、第１の技術手段において、前記送信条件が、文字のみから成る画像であるか否かに関する条件並びに画像データの用紙サイズ、ファイルサイズ、カラーモード、圧縮形式及びファイル形式に関する条件のいずれか、または、文字のみから成る画像であるか否かに関する条件並びに画像データの用紙サイズ、ファイルサイズ、カラーモード、圧縮形式及びファイル形式に関する条件の組み合わせを含むことを特徴としたものである。
【００１０】
第３の技術手段は、第１または第２の技術手段において、前記所定の処理方法が、画像データの用紙サイズ、ファイルサイズ、カラーモード、圧縮形式及びファイル形式のいずれか、または、画像データの用紙サイズ、ファイルサイズ、カラーモード、圧縮形式及びファイル形式の組み合わせに関するものであることを特徴としたものである。
【００１１】
第４の技術手段は、第１乃至第３のいずれか１の技術手段において、前記画像データの送信順序の編集が、送信対象の画像データの削除を含むことを特徴としたものである。
【００１２】
第５の技術手段は、第１乃至第４のいずれか１の技術手段において、前記一覧表示をサムネイル画像を用いて行うことを特徴としたものである。
【００１３】
第６の技術手段は、情報処理方法であって、送信対象の画像データを一覧表示し、表示した画像データの送信順序の編集を受け付け、編集後の送信順序に従って前記送信対象の画像データを表示すると共に当該送信順序を記憶し、前記送信順序に基づいて、前記送信対象の画像データを１つのデータに結合し、予め定められたデータの送信条件により、前記結合したデータが当該送信条件に合致するか否かの判定を予め定められた優先度に基づく順番で行い、前記条件に合致しない場合に、前記結合したデータを当該条件に対応して予め定められた所定の処理方法で処理し送信することを特徴としたものである。
【００１４】
第７の技術手段は、コンピュータに、第１乃至第５のいずれか１の技術手段の情報処理装置の機能を実現させるプログラムである。
【００１５】
第８の技術手段は、第６の技術手段の情報処理方法をコンピュータに実行させるためのプログラムである。
【００１６】
第９の技術手段は、コンピュータが読み取り可能な記録媒体であって、第７または第８のプログラムを記録したことを特徴としたものである。
【発明の効果】
【００１７】
本発明によれば、宛て先が同一である複数のデータを結合して上記宛て先にファックス送信する際に、ＦＡＸ送信対象のデータについての情報を確認することができ、ＦＡＸ送信対象として複数のデータを選択した後も、複数の結合したデータの送信順序を変更することができる。
【発明を実施するための最良の形態】
【００１８】
図１は、実施例１、２の情報処理装置が接続された画像送信システムを示す図であり、図２は、図１に示す画像送信システムにおいて、ローカルエリアネットワーク（ＬＡＮ：Local Area Network）を介して接続された実施例１，２の情報処理装置及び画像送信装置の構成を示す図である。
なお、画像送信システムとは、図１に示すように、ＬＡＮを介して、情報処理装置１０、２０と、ファクシミリ装置や複合機等のような画像送信装置３０が相互に接続されているものをいう。
【００１９】
（実施例１）
図１及び図２を参照し、図３〜図９を用いて、実施例１の情報処理装置、及び、その情報処理装置と通信可能に接続される画像送信装置について説明する。
情報処理装置１０は、ユーザがＦＡＸ送信対象として選択した複数の画像データを結合し、結合した画像データとユーザが指定したＦＡＸ送信先に関する情報を画像送信装置３０に送信するものであり、ＦＡＸ送信対象のデータについての情報を確認すること、及び、ユーザがＦＡＸ送信対象として画像データを選択した後も、画像データのＦＡＸ送信順序（すなわち、結合後の画像データ内における順序）を変更することができるようにするものである。
【００２０】
情報処理装置１０は、以下に説明するユーザインタフェースＩ／Ｆ部１１、記憶部１２、通信部１３及び制御部１４を備える。
ユーザＩ／Ｆ部１１は、ユーザからの操作を受け付けるものであり、操作のために必要な情報を表示する液晶パネル等の表示手段と、使用者の操作により制御命令などの情報が入力されるマウスなどのポインティングデバイスやキーボード等の入力手段とからなる。ユーザは、ユーザＩ／Ｆ部１１を介して、ＦＡＸ送信する画像データ（送信対象のデータ）の選択（指定）や、送信対象の画像データの順序の変更、ＦＡＸ送信指示、ＦＡＸ宛て先入力、結合する際の画像形式の指定、後述の送信画像条件の入力等を行うことができる。ここで、画像データとは、データのうちＦＡＸ送信対象となり得るものをいう。
【００２１】
図３は、本発明に係わる情報処理装置がユーザＩ／Ｆ部１１の表示手段に表示する画面の一例を示した図である。
情報処理装置１０では、ＦＡＸ送信対象のデータについての情報を確認することができるように、図３の画面１００に示すように、ユーザによりユーザＩ／Ｆ部１１を介して選択された送信対象の画像データのサムネイル（サムネイルＡ，Ｂ，Ｃ）を表示する。サムネイルＡ，Ｂ，Ｃは、例えば、当該サムネイルに対応するデータが選択された順序に従って、左から右へ順に表示される。また、画面１００において、各送信対象のデータのサムネイルの表示位置（表示順序）が、当該サムネイルを有する送信対象のデータの送信順序と対応するようになっている。従って、ユーザは、画面１００により、送信対象の画像データについての情報（その概要やその送信順序等）を確認することができる。
【００２２】
このように、情報処理装置１０では、ＦＡＸ送信対象のデータについての情報（例えば、データの概要）を確認することができるように、送信順序に従って一覧表示することができる。図３は、送信順序に従った送信対象の画像データの一覧表示の際に、送信対象データの概要を示すものとしてサムネイル画像を用いた例である。上記一覧表示の際に、例えば、ファイル名とファイルサイズやフォーマット、解像度等を並列表記してもよい。
【００２３】
なお、情報処理装置１０では、送信対象の画像データの選択直後の表示順序は、任意であり、少なくとも、ユーザが予め送信順序を指定した場合（送信対象の画像データの選択の際に指定した場合も含む）は、指定された送信順序に従って行うことができる。なお、以下の説明では、複数の画像データから送信対象の画像データが選択された場合、当該選択された画像データは、選択直後において、最後に送信されるような表示位置に表示するものとする。
【００２４】
記憶部１２は、全ての画像データを含む各種情報を記憶するものであり、ＲＡＭやＲＯＭ等から成る。また、記憶部１２は、特定の宛て先に送信する送信対象の画像データを記憶する送信対象画像記憶部１２ａを有する。送信対象画像記憶部１２ａは、送信対象の画像データの他に、その送信する順序や、サムネイル画像もデータ毎に記憶することができる。
【００２５】
図４は、送信対象画像記憶部が記憶する情報の一例を示す図である。送信対象画像記憶部１２ａでは、送信対象の画像データに関して、例えば、送信する順序（［Ｎｏ．］欄に記載のもの）と、そのファイル名（［ファイル名］欄に記載のもの）とを、対応づけて記憶する。送信対象の画像データのファイル名の他に、当該データのカラーモードやフォーマット、解像度等を記憶してもよい。
図４の例では、結合後の画像データ内において１番目の画像データについて、そのファイル名が「ａ．ｊｐｇ」、カラーモードが「カラー」、フォーマットが「ＪＰＥＧ」、解像度が「６００ｄｐｉ」であると記憶している。また、結合後の画像データ内において２番目の画像データについては、そのファイル名が「ｂ．ｔｉｆ」、カラーモードが「白黒」、フォーマットが「ＴＩＦ」、解像度が「３００ｄｐｉ」であると記憶している。
【００２６】
図３に示した画面の例のように、送信対象の画像データを送信順序に基づいて左から右にサムネイル表示する場合、図４のデータを用いたとすると、情報処理装置１０は、送信対象画像記憶部１２ａが記憶する図４に示す情報及びサムネイル画像に関する情報を参照して、ファイル名が「ａ．ｊｐｇ」である１番目の画像データを画面上の最も左にサムネイル表示し、その右側に、ファイル名が「ｂ．ｔｉｆ」である２番目の画像データをサムネイル表示する。
また、図４は、３番目の画像データを記憶していないので、ＵＩ画面には上記１番目及び２番目の画像データのみが表示され、３番目以降の画像データが表示されない。
なお、送信対象画像記憶部１２ａは、送信対象の画像データそのものを記憶する代わりに、送信対象とされた画像データの格納先に関する情報を記憶し、その格納先と結合後の画像データ内における順序等とを対応づけて記憶するようにしてもよい。
【００２７】
通信部１３は、画像送信装置３０とネットワーク（ＬＡＮ）を介して通信可能に接続するためのものである。この通信部１３を介して、送信対象の画像データを結合した画像データが情報処理装置１０から画像送信装置３０へ送信され、また、結合した画像データをファックス送信するように指示される。
【００２８】
制御部１４は、情報処理装置１０全体を制御するものであり、演算を行うＣＰＵ及び演算に伴う一時的な情報を記憶するＲＡＭ等からなる。また、この制御部１４は、送信対象画像表示部１４ａと画像編集部１４ｂと画像変換部１４ｃと送信制御部１４ｄとを有する。
【００２９】
送信対象画像表示部１４ａは、送信対象画像記憶部１２ａに記憶されている内容に基づいて、表示手段等へ送信対象の画像データに関する情報を一覧表示するよう制御する。例えば、図３の画面１００のように、現在送信対象として指定されている画像データのサムネイル画像を、記憶されている送信順序に基づいて、ユーザＩ／Ｆ部１１の表示手段等に表示させる。
【００３０】
画像編集部１４ｂは、ユーザにより選択された送信対象の画像データを送信対象画像記憶部１２ａに記憶させたり、送信対象の画像データの送信順序を変更したり等するものである。なお、本発明において、送信対象の画像データの送信順序の変更には、送信対象の画像データの削除も含まれる。上記変更は、送信対象画像記憶部１２ａに記憶されている内容を編集（書換えや削除）することにより行う。
【００３１】
送信対象の画像データは、ユーザが行う送信対象画像データの選択操作によって追加されるが、その際の処理の一例について説明する。
ユーザによって送信対象画像データの選択操作がユーザＩ／Ｆ部１１に対して行われると、その選択操作に基づいた入力が制御部１４に対して行われ、その入力に基づいて、画像編集部１４ｂは、上記選択操作が行われた画像データを送信対象の画像データとして送信対象画像記憶部１２ａに記憶させる。また、記憶させた画像データに関する情報も取得／生成し、送信対象画像記憶部１２ａに記憶させる。その結果、送信対象画像表示部１４ａは、送信対象画像記憶部１２ａに記憶されている内容に基づいて、送信対象の画像データに関する情報が追加された画面を表示するよう制御する。
【００３２】
ユーザが送信対象データを追加する際は、例えば、ユーザＩ／Ｆ部１１の表示手段に表示された、図３の画面１００のような画面に対して、送信したい画像データのサムネイルをユーザＩ／Ｆ部１１の入力手段（マウス等）を用いて所謂「ドラッグ＆ドロップ操作」をすればよい。
また、図３のウィンドウに表示するためのプリンタドライバを有するように情報処理装置１００を構成し、ユーザが送信したい画像データ（ファイル）を、専用のアプリケーションで開いた上で、上記プリンタドライバを用いて操作（印刷）したときに、その操作を送信対象画像データの選択操作として受け付け、上述のように、ユーザに指定された画像を追加表示するようにしてもよい。
【００３３】
送信順序の変更は、例えば、図３のウィンドウ上でユーザが操作することにより行われる。図５は、送信順序の変更の際にユーザが行う操作の例を説明する図であり、図５（Ａ）は、図３のＵＩ画面に対して行われる操作を示し、図５（Ｂ）は、送信順序の変更後に表示されるＵＩ画面を示し、図５（Ｃ）は、送信対象の画像データの削除後に表示されるＵＩ画面を示している。
【００３４】
送信順序の変更を行う際は、ユーザは、図５（Ａ）に示すように、ＵＩ画面２００に表示されているサムネイルであって送信順序を変更したい画像データのものを、所望する送信順番の表示位置にドラッグ＆ドロップする。これにより、図５（Ｂ）に示すように、ＵＩ画面２００に表示されているサムネイルの表示位置が変更され、また、表示位置と相関のある送信順番が変更される。なお、以下の説明では、サムネイルＡ，Ｂ，Ｃを有するデータを、それぞれデータＡ，Ｂ，Ｃと言う。
【００３５】
図５（Ａ），（Ｂ）の例では、ドラッグ＆ドロップ操作の前後で、データＡの送信順番は１番目であり変更されない。しかし、上記操作前では送信順番が３番目であったデータＣは、そのサムネイル画像をデータＡとデータＢとの間の位置にドラッグ＆ドロップすることで、その順序が２番目に変更される。また、ドラッグ＆ドロップ操作前では送信順序が２番目であったデータＢは、上記操作後に、その順序が３番目に変更される。
【００３６】
これを可能にするために、ユーザによってユーザＩ／Ｆ部１１に対して図５（Ａ），（Ｂ）に示すような順序変更操作（ドラッグ＆ドロップ操作）が行われると、情報処理装置１０では、その順序変更操作に基づいた入力が制御部１４に対して行われる。制御部１４では、その入力に基づいて、画像編集部１４ｂが、送信対象画像記憶部１２ａに記憶されている送信対象の画像データについて、当該データの順序に関する情報を編集（変更）する。その結果、送信順序に合わせて、送信対象画像表示部１４ａが、送信対象画像記憶部１２ａに記憶されている内容に基づいて、送信対象の画像データに関する情報の表示位置を変更した画面を表示させる。
【００３７】
また、送信順序の変更の一例である送信対象の画像データの削除を行う際は、まず、図３のＵＩ画面に表示されているサムネイル画像であって送信対象から削除したい画像データ（対象となる画像データ）のものを、ユーザＩ／Ｆ部１１を構成するマウスなどを用いてユーザが選択する。その後、キーボードの「Ｄｅｌｅｔｅ」キーを押下したり、マウスを用いて「削除」メニューを選択したりすると、図５（Ｃ）に示すように、選択された画像データのサムネイルが表示されなくなる。
【００３８】
図５（Ｃ）の例では、送信対象画像データの削除操作の前後で、画像データＡ及びＢの送信順番は、それぞれ１番目及び２番目であり、変更されない。しかし、上記操作前では送信順番が３番目であったデータＣは、上記削除操作をすることで、そのサムネイル画像がＵＩ画面から削除されると共に、送信対象の画像データではなくなる。
【００３９】
これを可能にするために、ユーザによってユーザＩ／Ｆ部１１に対して上述の削除操作が行われると、情報処理装置１０では、その削除操作に基づいた入力が制御部１４に対して行われる。送信順序に合わせて、送信対象画像表示部１４ａが、送信対象画像記憶部１２ａに記憶されている内容に基づいて、送信対象の画像データに関する情報の表示位置を変更する。制御部１４では、その入力に基づいて、画像編集部１４ｂが、送信対象画像記憶部１２ａに記憶されている送信対象の画像データについて、当該データの順序に関する情報を編集する。また、送信対象画像記憶部１２ａに記憶されている内容に基づいて、表示内容が変更された画面が表示される。
【００４０】
画像変換部１４ｃは、ファックス送信の指示を受け付けたときに、送信対象画像記憶部１２ａに記憶されている内容に基づいて、記憶されている送信対象の（複数の）画像データを結合する。なお、画像変換部１４ｃで行う結合の際の画像形式をユーザが指定できることが好ましい。そのため、本実施例の情報処理装置では、ユーザにより図３のＵＩ画面１００の送信ボタン１０１に対してクリック操作されたときに、画像変換部１４ｃで行う結合の際の画像形式を設定する設定ダイアログをユーザＩ／Ｆ部１１の表示手段に表示させる。
【００４１】
図６は、設定ダイアログの一例を示す図である。図示の設定ダイアログ３００では、送信対象の画像データを結合する際の画像形式として、カラーモード、画像フォーマット、解像度を設定できるようになっており、カラーモードとして「白黒」が、画像フォーマットとして「ＰＤＦ」が、解像度として「３００ｄｐｉ」がそれぞれ設定されている。また、設定ダイアログ３００では、結合の際の画像形式の他に、送信先の設定を行うことができるようになっており、この例では、送信先の名前として「あいうえお」が、送信先のＦＡＺ番号として「００００−１１−２２２２」がそれぞれ設定されている。
【００４２】
情報処理装置１０では、設定画面３００のＯＫボタン３０１に対するクリック操作等によりファックス送信の指示を受け付けると、ＵＩ画面１００等に直前にサムネイル表示していた画像データと、送信対象の画像データの送信順序に関する情報とを、画像変換部１４ｃが送信対象画像記憶部１２ａから読み込む。読み込んだ複数の送信対象の画像データを、読み込んだ送信順序及び設定画面３００を介して設定された画像形式で結合する。
【００４３】
送信制御部１４ｄは、画像変換部１４ｃで変換（結合）した画像データを、設定された送信先に送信するよう指示する送信指示情報を生成し、通信部１３を介して画像送信装置３０に送信する。送信指示情報には、ＦＡＸ送信先の情報（ＦＡＸ番号）等が含まれる。
【００４４】
画像送信装置３０は、情報処理装置１０により結合された画像データを、受信した送信指示情報に基づき、設定されたＦＡＸ送信先にファックス送信するものであり、画像読取部３１と、画像形成部３２と、画像処理部３３と、通信部３４と、ＦＡＸ通信部３５と、制御部３６と、を備える。
【００４５】
画像読取部３１は、記録用紙に記録された画像を読み取って画像データを生成するものであり、原稿画像を画像データとして取り込むためのＣＣＤ等から構成される。画像形成部３２は、記録用紙上に画像データを形成する。画像処理部３３は、画像形成用の画像データをファックス送信に対応した画像データに変換処理したり、ファックス送信に対応した画像データを画像形成用の画像データに変換処理したりする。通信部３４は、画像送信装置３０を情報処理装置とネットワーク（ＬＡＮ）を介して通信可能に接続するためのものである。ＦＡＸ通信部３５は、ファクシミリ通信を行うためのものであり、公衆回線網Ｎ１に接続されている。制御部３６は、画像送信装置３０全体を制御するものであり、演算を行うＣＰＵ及び演算に伴う一時的な情報を記憶するＲＡＭ等からなる。
【００４６】
画像送信装置３０は、公衆回線網Ｎ１を介して他のファクシミリ装置４０から送信された画像データをＦＡＸ通信部３５で受信し、受信した画像データを画像処理部３３で画像形成用の画像データに変換し、変換した画像データから画像形成部３２で画像を形成することができる。
また、画像送信装置３０は、画像読取部３１が生成するか外部から取得するかによってメモリ（不図示）等に記憶させた画像データを、画像処理部３３でファックス通信用の画像データに変換し、ＦＡＸ通信部３５に接続された公衆回線網Ｎ１を介して他のファクシミリ装置４０へファクシミリ通信にて送信することができる。
【００４７】
特に、画像送信装置３０は、情報処理装置が変換（結合）した画像データを、ユーザにより設定された宛て先にファックス送信することができる。これを達成するために、画像送信装置３０では、情報処理装置が生成した送信指示情報を通信部３４を介して受信し、受信した画像データを画像処理部３３でファックス通信用の画像データに変換する。そして、制御部３６の送信制御部３６ａが、情報処理装置により変換され画像処理部３３でファックス通信用に処理された画像データを、送信指示情報に基づく宛て先にＦＡＸ通信部３５を介してＦＡＸ通信するように制御する。
【００４８】
図７は、本発明による情報処理装置における送信対象画像表示処理の一例を示すフローチャートである。例えば、ユーザから送信画像の指定があった場合、画像編集部１４ｂが、図７に示すように、まず、送信対象画像表示部１４ａが送信対象画像記憶部１２ａに既に画像データが存在するか判断する（ステップＳ１０）。存在しない場合（ＮＯの場合）は、指定された画像データを、送信順番を１番目として、送信対象画像記憶部１２ａに保存し（ステップＳ１１）、ステップＳ１４に移行する。
【００４９】
ステップＳ１０において、送信対象画像記憶部１２ａに既に存在する場合（ＹＥＳの場合）、記憶されている送信順番の最大値ｎを取得する（ステップＳ１２）。指定された画像データを、その順番が（ｎ＋１）番目であるとして、送信対象画像記憶部１２ａに保存し（ステップＳ１３）、つまり、指定された画像データを、その順番が最後であるとして保存し、ステップＳ１４に移行する。また、このときに、指定された画像データに関する情報を取得し、送信順番に関する情報と合わせて、送信対象画像記憶部１２ａに記憶する。
【００５０】
ステップＳ１４では、送信対象画像表示部１４ａが、送信対象画像記憶部１２ａで記憶されている送信対象の画像データの全てのサムネイルを作成する。作成したサムネイルは、例えば、当該サムネイルの生成元である画像データの順番と関連付けられて、送信対象画像記憶部１２ａに記憶する。そして、記憶している送信順序に従って、作成したサムネイルをユーザＩ／Ｆ部１１の表示手段等に表示させる（ステップＳ１５）。
【００５１】
図８は、本発明による情報処理装置における送信順序変更処理例を示すフローチャートである。
例えば、ユーザが図３のＵＩ画面１００上でサムネイルのドラッグ＆ドロップ操作をして、送信順序を変更しようとした場合、図８（Ａ）に示すように、画像編集部１４ｂは、まず、ドラッグ＆ドロップ操作の対象となった送信対象の画像データを特定して、特定された画像データの順番Ｏ、及び、ＵＩ画面１００においてドロップされた位置に対応する順番Ｐを取得する（ステップＳ２０）。
【００５２】
次に、取得した情報に従って、送信対象画像記憶部１２ａに記憶されている送信順番を変更する（ステップＳ２１）。これは、例えば、特定された画像データの順番をＰに変更し、ドラッグ＆ドロップ操作前の順番がＯ＋１〜Ｐ番目である送信対象の画像データの順番を、それぞれＯ〜Ｐ−１番目に変更することにより行う。図５（Ａ）に示すようにドラッグ＆ドロップ操作された場合は、上記操作前における３番目の画像データの順番を“２”、上記操作前における２番目の画像データの順番を“３”に変更する。順序の変更を終了したら、送信対象画像記憶部１２ａで記憶されている送信対象の画像データの全てのサムネイルを作成する（ステップＳ２２）。そして、送信対象画像表示部１４ａが、記憶されている送信順序に従って、作成したサムネイルをユーザＩ／Ｆ部１１の表示手段等に表示させる（ステップＳ２３）。上記の例では、図５（Ｂ）のように、順番すなわち表示位置が変更されてサムネイルが表示される。
【００５３】
また、例えば、図３のＵＩ画面１００上でサムネイルを選択し削除する操作をユーザが行った場合、図８（Ｂ）に示すように、まず、画像編集部１４ｂは、削除されるサムネイルの生成元である画像データの順番を取得する（ステップＳ３０）。そして、取得した順番の画像データを送信対象画像記憶部１２ａから削除し、送信対象画像記憶部１２ａが記憶している画像データであって取得した順番以降の画像データの順番を、１ずつ減らして変更する（ステップＳ３１）。ステップＳ３１における処理が終了すると、送信対象画像記憶部１２ａで記憶されている画像データ全てのサムネイルを作成する（ステップＳ３２）。そして、送信対象画像表示部１４ａが、記憶している送信順序に従って、作成したサムネイルをユーザＩ／Ｆ部１１の表示手段等に表示させる（ステップＳ３３）。図３のダイアログで３番目の画像データのサムネイルが削除された場合、上述の処理により、３番目の画像データであったものが送信対象ではなくなり、図５（Ｃ）に示すように、３番目の画像データであったもののサムネイルは表示されず（削除されて）、１番目及び２番目の送信対象の画像データから生成されたサムネイル画像だけが表示される。
【００５４】
図９は、本発明による情報処理装置における画像変換処理の一例を示すフローチャートである。なお、この例では、送信対象画像記憶部１２ａは、送信対象画像データそのものを記憶せずに、送信対象画像データのファイル名を記憶しており、送信対象画像データそのものが処理に必要な場合は、ファイル名に基づいて、送信対象画像データそのものを記憶している何らかの記憶手段から取得する。
【００５５】
図３のＵＩ画面１００上でユーザが送信ボタン１０１を押下した場合、まず、画像変換部１４ｃは、図６の設定ダイアログをユーザＩ／Ｆ部１１の表示手段等に表示させ、送信する画像形式と、送信先をユーザに指定（設定）させる（ステップＳ４０）。次に、送信対象画像記憶部１２ａから記憶されている画像データの総数を取得し（ステップＳ４１）、１番目から各画像データの総数分、ファイル名を取得し（ステップＳ４２）、取得したファイル名の画像データを送信画像に結合する（ステップＳ４３）。次に、Ｓ４０で指定された画像形式に変換を行う（ステップＳ４４）。
上記の処理後、ステップＳ４４で変換した画像をステップＳ４０で指定された送信先へ送信するように、送信制御部１４ｄは画像送信装置３０へ指示する。
【００５６】
（実施例２）
図１及び図２を参照し、図１０〜図１２を用いて、実施例２の情報処理装置について説明する。なお、実施例２の構成要素であって実施例１の構成要素と同様なものについては、同じ参照番号を用いることにより、その説明を省略する。
情報処理装置２０は、図２に示すように、結合し変換した画像データが、ユーザが予め指定した送信画像条件を満たさない場合に、当該画像データに更なる変換処理を行うもので、ユーザＩ／Ｆ部１１と、記憶部２２と、通信部１３と、制御部２４とを備える。
【００５７】
記憶部２２は、送信画像条件記憶部２２ｂを備える点で、実施例１の記憶部１２と異なる。送信画像条件記憶部２２ｂについては後述する。
【００５８】
また、制御部２４は、送信画像条件指定部２４ｅを備える点及び画像編集部の機能に関する点で、実施例１の制御部１４とは異なる。
送信画像条件指定部２４ｅは、送信画像条件を指定するためのものである。送信画像条件とは、ユーザが予め指定した結合画像データに関する条件であって、結合画像データが当該条件に合致しない場合に、結合画像データを所定の処理方法に基づいて変換するためのものである。図１０は、送信画像条件を指定するための送信画像条件設定画面の一例を示す図である。送信画像条件指定部２４ｅは、送信画像条件設定画面を表示・制御することができる。送信画像条件として、図１０に示すように、「文字のみの画像」のように画像の内容を条件としたり、「３ＭＢ以下の画像」のように送信する画像データのファイルサイズを条件としたりすることができる。その他、送信画像条件は、例えば、画像データの用紙サイズ、ファイルサイズ、カラーモード、圧縮形式及びファイル形式に関する条件のいずれかであってもよく、また、文字のみから成る画像であるか否かに関する条件並びに画像データの用紙サイズ、ファイルサイズ、カラーモード、圧縮形式及びファイル形式に関する条件の組み合わせであってもよい。
【００５９】
送信画像条件指定部２４ｅにより、ユーザは、送信画像条件だけでなく、当該条件に合致しない場合に結合画像データに対して行われる所定の処理方法についても指定することができる。所定の処理方法は、例えば、画像データの用紙サイズ、ファイルサイズ、カラーモード、圧縮形式及びファイル形式のいずれか、または、画像データの用紙サイズ、ファイルサイズ、カラーモード、圧縮形式及びファイル形式の組み合わせに関するものである。
なお、送信画像条件が複数ある場合は、結合画像データが当該条件に合致するかの判断が優先的に行われる送信画像条件があってもよい。すなわち、送信画像条件に優先度を設けてもよい。
【００６０】
図１０の例の送信画像条件設定画面では、当該条件に合致するかの判断の優先度が高い第１の送信画像条件として、結合画像データが「文字のみの画像」であることが指定されており、第１の送信画像条件より上記優先度が低い第２の送信画像条件として、結合画像データのファイルサイズが「３ＭＢ以下」であることが指定されている。また、図１０では、第１の送信画像条件を満たさない場合に、カラーモードが「白黒」、ファイルフォーマットが「ＰＤＦ」、解像度が「３００ｄｐｉ」となるように、結合画像データに対して、所定の処理方法（画像処理）を送信前に施すように指定されている。同じように、第２の送信画像条件を満たさない場合は、カラーモードが「白黒」、ファイルフォーマットが「ＴＩＦ（ＭＭＲ圧縮）」、解像度が「２００ｄｐｉ」となるように画像処理を行うように指定されている。
【００６１】
ここで、送信画像条件記憶部２２ｂについて説明する。送信画像条件記憶部２２ｂは、送信画像条件及び所定の処理方法を記憶する。図１１は、送信画像条件記憶部２２ｂが記憶する情報の一例を示す図である。送信画像条件記憶部２２ｂは、図１１に示すように、例えば、送信画像条件（「条件の種類」の欄に記載のものと「条件」の欄に記載のものを合わせたもの）と、条件に合致しない場合の画像処理内容（「カラーモード」欄に記載のものや、「フォーマット」欄に記載のもの、「解像度」欄に記載のもの）とを対応付けて記憶している。
【００６２】
なお、ユーザが送信画像条件や所定の処理方法を指定する際は、例えば、図１０の送信画像条件設定画面４００のプルダウンメニューボタン４０１をクリックし、現れる選択肢から所望のものを選択するように操作すればよい。情報処理装置２０では、この操作に基づいて、送信画像条件指定部２４ｅが送信画像条件記憶部２２ｂの記憶内容を変更する。
【００６３】
画像変換部２４ｃは、実施例１の画像変換部１４ｃと同様に、ファックス送信の指示を受け付けたときに、送信対象画像記憶部１２ａに記憶されている内容に基づいて、送信対象画像記憶部１２ａに記憶されている送信対象の（複数の）画像データを、ユーザが送信指示時に設定した画像形式で結合する。しかし、画像変換部１４ｃとは異なり、画像変換部２４ｃは、設定された画像形式で結合した画像データを、送信画像条件記憶部２２ｂに記憶されている送信画像条件と比較する。そして、送信画像条件に合致しない場合には、設定された画像形式で結合した画像データに対して、当該送信画像条件に対して指定されている画像変換処理を、送信画像条件記憶部２２ｂの記憶内容に基づいて行う。
【００６４】
以上のような構成要素を備える情報処理装置では、ＦＡＸ送信指示時に設定された画像形式で複数の画像データを結合し、予めユーザにより指定された送信画像条件に結合した画像データが合致しない場合に、予めユーザが指定した画像処理を結合した画像データに行い、画像処理を行った画像データを画像送信装置３０を介してＦＡＸ送信することができる。そのため、例えば、送信画像条件としてファイルサイズを指定し、低解像度になるように画像処理を行うように指定しておけば、情報処理装置２０では、結合した結果、結合した画像データのサイズが非常に大きくなった場合であっても、サイズを小さくしてファックス送信することができる。その結果、通信料が高くなることを防ぐことができる。
【００６５】
図１２は、本発明による情報処理装置における画像変換処理の他の例を示すフローチャートである。なお、図１２のステップＳ５０〜５４における処理については、図９のステップＳ４０〜４４におけるものと同様であるので、その説明を省略する。
情報処理装置２０では、ステップＳ５４の後、ステップＳ５４で変換した後の送信画像に対して、送信画像条件記憶部２２ｂで記憶されている送信画像条件と比較を行う（ステップＳ５５）。そして、送信画像が送信画像条件に合致する場合（ＹＥＳの場合）は、そのまま処理を終了するが、合致しない場合（ＮＯの場合）は、送信画像条件記憶部２２ｂから当該条件に関する処理内容を読み取り（ステップＳ５６）、読み取った処理内容の画像処理を送信画像に行う（ステップＳ５７）。
上記の処理後、送信制御部１４ｄでステップＳ５７で変換した画像をステップＳ５０で指定された送信先へ送信するように、画像送信装置３０へ指示する。
【００６６】
なお、例えば、図１１のように送信画像条件が記憶されていた場合、ステップＳ５５〜５７における処理は以下のように行われる。まず、送信画像の画像解析を行い、「文字のみの画像」かどうか判定を行う。文字のみの画像でない場合、送信画像条件記憶部から画像内容（カラーモードが「白黒」、フォーマットが「ＰＤＦ」、解像度が「３００ｄｐｉ」）を読み取り、読み込んだ画像内容となるように画像変換を行う。また、送信画像のファイルサイズを算出し、ファイルサイズが「３ＭＢ以下」かどうか判定を行う。３ＭＢ以下でない場合、送信画像条件記憶部から画像内容（カラーモードが「白黒」、フォーマットが「ｔｉｆ」、解像度が「２００ｄｐｉ」）を読み取り、読み込んだ画像内容となるように画像変換を行う。
【００６７】
本発明に関わるプログラムは、本発明に関わる情報処理装置の機能を実現するようにＣＰＵ等を制御するプログラム（コンピュータを機能させるプログラム）、または、本発明の情報処理方法をコンピュータに実行させるためのプログラムである。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【００６８】
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体 （例えば、磁気テープ、フレキシブルディスク等）等のいずれであってもよい。
また、ロードしたプログラム を実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００６９】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の記録媒体に含まれる。
【図面の簡単な説明】
【００７０】
【図１】実施例１、２の情報処理装置が接続された画像送信システムを示す図である。
【図２】図１に示す画像送信システムにおいて、ローカルエリアネットワークを介して接続された実施例１，２の情報処理装置及び画像送信装置の構成を示す図である。
【図３】本発明に係わる情報処理装置がユーザＩ／Ｆ部の表示手段に表示する画面の一例を示した図である。
【図４】送信対象画像記憶部が記憶する情報の一例を示す図である。
【図５】送信順序の変更の際にユーザが行う操作の例を説明する図である。
【図６】設定ダイアログの一例を示す図である。
【図７】本発明による情報処理装置における送信対象画像表示処理の一例を示すフローチャートである。
【図８】本発明による情報処理装置における送信順序変更処理例を示すフローチャートである。
【図９】本発明による情報処理装置における画像変換処理の一例を示すフローチャートである。
【図１０】送信画像条件設定画面の一例を示す図である。
【図１１】送信画像条件記憶部が記憶する情報の一例を示す図である。
【図１２】実施例２の情報処理装置における画像変換処理の一例を示すフローチャートである。
【符号の説明】
【００７１】
１０…情報処理装置、１１…ユーザＩ／Ｆ部、１２…記憶部、１２ａ…送信対象画像記憶部、１３…通信部、１４…制御部、１４ｂ…画像編集部、１４ｃ…画像変換部、１４ｄ…送信制御部、２０…情報処理装置、２２…記憶部、２２ｂ…送信画像条件指定部、２４…制御部、２４ｃ…画像変換部、２４ｅ…送信画像条件指定部、３０…画像送信装置、３１…画像読取部、３２…画像形成部、３３…画像処理部、３４…通信部、３５…ＦＡＸ通信部、３６…制御部、３６ａ…送信制御部。
【図１】
0004516984.tif 000002
【図２】
0004516984.tif 000003
【図３】
0004516984.tif 000004
【図４】
0004516984.tif 000005
【図５】
0004516984.tif 000006
【図６】
0004516984.tif 000007
【図７】
0004516984.tif 000008
【図８】
0004516984.tif 000009
【図９】
0004516984.tif 000010
【図１０】
0004516984.tif 000011
【図１１】
0004516984.tif 000012
【図１２】
0004516984.tif 000013